(57)【特許請求の範囲】
【請求項１】
パネル本体の上端部または下端部に、進出することにより、パネル本体と天井または床との間の空隙を閉塞しうるとともに、パネル本体より厚さを小とした上部または下部閉塞部材を、上下方向に進退自在に設けた複数の間仕切パネルを、天井に架設したレールに吊支して、該レールに沿って移動しうるようにし、そのうちの少なくとも１個の間仕切パネル(以下突き当てパネルという)が、他の間仕切パネル(以下被突き当てパネルという)の側面に突き当たった状態で、室内を仕切るようにした移動間仕切装置において、
前記突き当てパネルにおける上部または下部閉塞部材の被突き当てパネル側の側端部に、被突き当てパネルにおけるパネル本体より進出した上部または下部閉塞部材の側面と、パネル本体の上端または下端と、天井または床との間に形成される空隙(S3)(S4)内に突入しうる突入部材を、側方に進退自在に設けたことを特徴とする移動間仕切装置。
【請求項２】
突き当てパネルにおける上部または下部閉塞部材に、一端が突入部材に連結され、かつ他端が上部または下部閉塞部材における被突き当てパネルから離れた方の側端から突出する押し杆を、突入部材の進退方向に摺動自在に設けた請求項１記載の移動間仕切装置。
【請求項３】
突き当てパネルにおける被突き当てパネルから離れた方の側端に、隣接する間仕切パネルが当接することにより、押し杆の突出端部が押動されて、突入部材が被突き当てパネル側の側端より突出するようにした請求項２記載の移動間仕切装置。
【請求項４】
突き当てパネル内に、突入部材を後退する方向に付勢する付勢手段を設けた請求項３記載の移動間仕切装置。
【発明の詳細な説明】
【０００１】
【発明の属する技術分野】
本発明は、移動間仕切装置、特に、間仕切パネル同士を、平面視Ｔ字状またはＬ字状等に突き合わせて室内を仕切ることがある移動間仕切装置において、各間仕切パネルと天井または床との空隙を閉塞する装置に関する。
【０００２】
【従来の技術】
この種の移動間仕切装置においては、図４及び図５に示すように、天井(１)に架設したレール(２)内を走行する２個のランナ(３)(３)からそれぞれ垂下する２本の吊支杆(４)(４)により、個々の間仕切パネル(５)を吊支して、レール(２)に沿って移動しうるようになっている。
【０００３】
各間仕切パネル(５)は、方形枠状のフレーム(６)の両側面にパネル(７)(７)を装着したパネル本体(８)を備え、各パネル本体(８)の上下の端部には、各間仕切パネル(５)が所定の間仕切位置に停止したとき、上下方向に進出して、パネル本体(８)と天井(１)との間の空隙(S1)、及びパネル本体(８)と床(９)との間の空隙(S2)を閉塞するようにした上部及び下部閉塞部材(10)(11)が、上下方向に進退自在に設けられている。
上部及び下部閉塞部材(10)(11)の厚さは、パネル本体(８)の厚さより小としてあり、上部及び下部閉塞部材(10)(11)は、パネル本体(８)の上下の端部に設けられた長手方向の凹溝より、上下方向に出没しうるようになっている。
【０００４】
このような複数の間仕切パネル(５)のうち、少なくとも１個の間仕切パネル（以下突き当てパネルという）(5A)が、他の間仕切パネル（以下被突き当てパネルという）(5B)の側面に突き当たった状態で、平面視Ｔ字状またはＬ字状等をなして室内を仕切る場合、それらの上部及び下部閉塞部材(10)(11)をそれぞれ進出させて、上記空隙(S1)(S2)を閉塞しようとしても、図４に示すように、被突き当てパネル(5B)より進出した上部及び下部閉塞部材(10)(11)の側面と、そのパネル本体(８)の上端及び下端と、天井(１)（この例では、レール(１)の下面を、天井(１)の下面と等高として、天井(１)の一部としている）及び床(９)との間に形成される空隙(S3)(S4)は、どうしても閉塞することができない。
【０００５】
このような空隙(S3)(S4)を閉塞できるようにしたものとしては、例えば、特開平１１−３６６９２号公報に開示されているように、突き当てパネル(5A)に相当する間仕切パネルの側端に、上記空隙(S3)(S4)を閉塞しうる弾性変形可能な突き合わせ部材（図示略）を、止めねじ等をもって着脱自在に装着するようにしたものがある。
【０００６】
【発明が解決しようとする課題】
しかし、上述のような従来の手段では、突き合わせ部材を間仕切パネルに装着したままの状態では、それが天井やレールの下面、または床等と擦れ、走行の妨げとなるので、突き当てパネル(5A)を被突き当てパネル(5B)に突き当てる都度、突き合わせ部材を突き当てパネル(5A)に着脱しなければならず、その作業が煩雑であるとともに、突き合わせ部材を外したとき、紛失し易い等の問題がある。
【０００７】
なお、間仕切パネル(５)の側端と、室内の側壁または柱等との間の空隙を閉塞するための手段として、パネル本体(８)の一側部に、上述の上部または下部閉塞部材(10)(11)を上下方向に向けて設けたのと同様の側部閉塞部材（図示略）を、側方に進退自在に設けたものがあり、このような従来の側部閉塞部材により、上記空隙(S3)(S4)を閉塞することが考えられるが、そのようにすると、装置全体が大がかりとなるとともに、上部及び下部閉塞部材の進退機構との関係がきわめて複雑になり、高価となる。
【０００８】
本発明は、従来の技術が有する上記のような問題点に鑑み、複数の間仕切パネルを平面視Ｔ字状、またはＬ字状等の配置としたときに生じる不可避的な微小な空隙(S3)(S4)を、簡単な構造で、確実に、しかも容易に閉塞しうるようにした移動間仕切装置を提供することを目的としている。
【０００９】
【課題を解決するための手段】
本発明によると、上記課題は次のようにして解決される。
（１）パネル本体の上端部または下端部に、進出することにより、パネル本体と天井または床との間の空隙を閉塞しうるとともに、パネル本体より厚さを小とした上部または下部閉塞部材を、上下方向に進退自在に設けた複数の間仕切パネルを、天井に架設したレールに吊支して、該レールに沿って移動しうるようにし、そのうちの少なくとも１個の間仕切パネル(以下突き当てパネルという)が、他の間仕切パネル(以下被突き当てパネルという)の側面に突き当たった状態で、室内を仕切るようにした移動間仕切装置において、
前記突き当てパネルにおける上部または下部閉塞部材の被突き当てパネル側の側端部に、被突き当てパネルにおけるパネル本体より進出した上部または下部閉塞部材の側面と、パネル本体の上端または下端と、天井または床との間に形成される空隙(S3)(S4)内に突入しうる突入部材を、側方に進退自在に設ける。
【００１０】
（２）上記(１)項において、突き当てパネルにおける上部または下部閉塞部材に、一端が突入部材に連結され、かつ他端が上部または下部閉塞部材における被突き当てパネルから離れた方の側端から突出する押し杆を、突入部材の進退方向に摺動自在に設ける。
【００１１】
（３）上記(２)項において、突き当てパネルにおける被突き当てパネルから離れた方の側端に、隣接する間仕切パネルが当接することにより、押し杆の突出端部が押動されて、突入部材が被突き当てパネル側の側端より突出するようにする。
【００１２】
（４）上記(３)項において、突き当てパネル内に、突入部材を後退する方向に付勢する付勢手段を設ける。
【００１３】
【発明の実施の形態】
図１〜図３は、本発明の一実施形態の要部を示す。なお、図４及び図５に示す従来のものと同一の部材には、同一の符号を付して図示するに止め、それらについての詳細な説明は省略する。
【００１４】
各間仕切パネル(５)における上部閉塞部材(10)は、基本的に、上下の縁に弾性シール部材(20)(20)が装着され、かつ互いに平行をなす水平の１対の閉塞板(21)(21)と、その中間部同士を連結するとともに、パネル本体(８)内の昇降手段（図示略）より延出してきたロッド(22)に連結され、そのロッド(22)により昇降させられるようにした、断面ほぼＨ字状の短寸のベース部材(23)と、両閉塞板(21)(21)の各端部同士を連結する合成樹脂材料の充実体よりなる端部閉塞部材(24)(25)とからなっている。
【００１５】
下部閉塞部材(11)は、上部閉塞部材(10)と上下対称の形状をなし、かつその内部の構造も上下対称の構造をなしているので、それらについては、同一の部材に同一符号を付して図示するに止め、詳細な説明は省略する。
【００１６】
突き当てパネル(5A)における上部閉塞部材(10)の被突き当てパネル(5B)側の端部閉塞部材(24)には、側端面と上面とに開口する直方形状の収容孔(26)が設けられ、ここに、ゴム、弾性発泡体、その他の遮音性及び遮光性の弾性体よりなり、かつ上記空隙(S3)(S4)内に突入しうるほぼ直方体状の突入部材(27)が、側方に進退自在に設けられている。
【００１７】
突き当てパネル(5A)における上部閉塞部材(10)の被突き当てパネル(5B)から離れた方の端部閉塞部材(25)には、長手方向を向く案内孔(28)が穿設されており、ここには、内端が、連結杆(29)(30)を順次介して、突入部材(27)の内端に連結された押し杆(31)が、突入部材(27)の進退方向と同一である被突き当てパネル(5B)から離れる方向に進退しうるように設けられている。
【００１８】
押し杆(31)と突入部材(27)とは、押し杆(31)が端部閉塞部材(25)より突出しているときは、突入部材(27)が収容孔(26)内に収容された退避位置に位置し、図１に示す矢印のように、突き当てパネル(5A)における被突き当てパネル(5B)から離れた方の側端に、隣接する間仕切パネル(5c)が当接したとき、その上部閉塞部材(10)の端部閉塞部材(24c)により、押し杆(31)がパネル本体(８)の側端より内方に押し込まれることにより、突入部材(27)が収容孔(26)より出て、パネル本体(８)の側端より突出した突出位置に位置し、空隙(S3)を密閉するような関係としてある。
【００１９】
連結杆(29)の中間部適所に突設されたピン(32)と、ベース部材(23)との間には、突入部材(27)をその退避位置に向かって付勢する引張りコイルばねよりなる復帰ばね（付勢手段）(33)が張設されている。
【００２０】
したがって、隣接する間仕切パネル(5c)が、突き当てパネル(5A)から離れると、この復帰ばね(33)の付勢力により、突入部材(27)は退避位置に退避させられ、同時に、押し杆(31)は端部閉塞部材(25)より外側方に突出させられる。
【００２１】
この実施形態は上述のような構造であるので、被突き当てパネル(5B)を、予め定めた間仕切位置まで移動させて、その上部及び下部閉塞部材(10)(11)を進出させ、それらを、天井(１)（またはレール(２)）及び床(９)に押しつけて、被突き当てパネル(5B)を固定した後、突き当てパネル(5A)を、その一方の側端に設けた側部シール部材(34)が被突き当てパネル(5B)の側面に圧接するようにして、被突き当てパネル(5B)にＴ字状またはＬ字状をなすように突き当て、その上部及び下部閉塞部材(10)(11)を進出させ、それらを天井(１)（またはレール(２)）及び床(９)に押しつけて、突き当てパネル(5A)を天井(１)と床(９)との間に固定した後、さらに隣接する間仕切パネル(5c)を、突き当てパネル(5A)の他方の側端に当接させると、その上部及び下部閉塞部材(10)(11)の端部閉塞部材(24c)が、上下の押し杆(31)(31)に当接して、両押し杆(31)(31)が押し込まれ、上下の突入部材(27)(27)が、被突き当てパネル(5B)の上下部に形成された空隙(S3)(S4)内に突入して、それらの空隙(S3)(S4)を閉塞する。
【００２２】
したがって、間仕切状態では、空隙(S3)(S4)を通して、音や光が、仕切られた各小室相互間に洩れることはない。
【００２３】
間仕切パネル(5c)の上部及び下部閉塞部材(10)(11)を進出させるとき、それらの端部閉塞部材(24c)は、押し杆(31)の先端面に沿って摺動する。したがって、押し杆(31)の先端面は、上下方向にある程度長いものとしておくのがよい。
【００２４】
間仕切状態から、各間仕切パネル(５)を、室の適所に設けた収容部（図示略）に収容するには、上述したのと逆の手順で各間仕切パネル(５)を移動させる。
【００２５】
間仕切パネル(5c)における上部及び下部閉塞部材(10)(11)を、互いに内方に引き寄せた後、間仕切パネル(5c)を、突き当てパネル(5A)から引き離すと、復帰ばね(33)の付勢力により、突入部材(27)は退避位置へ、また押し杆(31)は突出位置へそれぞれ自動的に復帰させられる。
【００２６】
したがって、その後に、突き当てパネル(5A)の上部及び下部閉塞部材(10)(11)が互いに内方に引き寄せられる際に、突入部材(27)が突出したままで、被突き当てパネル(5B)におけるパネル(７)の上下の端部に係止して、上部及び下部閉塞部材(10)(11)の移動が妨げられるといったことがない。
【００２７】
また、空隙(S3)(S4)の奥行き、すなわち被突き当てパネル(5B)におけるパネル(７)の外側面から上部及び下部閉塞部材(10)(11)の外側面までの距離に合わせて、突入部材(27)の突出量を定めておくことにより、空隙(S3)(S4)を確実に密閉することができる。
【００２８】
上述の実施形態では、復帰ばね(33)を設けたり、隣接する間仕切パネル(5c)により、押し杆(31)を押動するようにしたが、例えば復帰ばね(33)を省略し、手作業で突入部材(27)を進退させたり、または、モータやソレノイド等により、突入部材(27)を適時に出没させるようにしてもよい。
【００２９】
【発明の効果】
（ａ）請求項１記載の発明によると、複数の間仕切パネルを平面視Ｔ字状またはＬ字状等の配置としたときに、被突き当てパネルの上下部にどうしても形成されてしまう微小な空隙を、簡単な構造で、確実に、しかも容易に閉塞することができ、仕切られる小室相互間の遮音性及び遮光性を高めることができる。
【００３０】
（ｂ）請求項２記載の発明によると、突き当てパネルにおける突入部材が設けられている側端と反対側の側端から、押し杆を押し引きすことにより、突入部材を進退させることができ、操作性をよくすることができる。
【００３１】
（ｃ）請求項３記載の発明によると、室内を仕切る際の各間仕切パネルの通常の移動態様で、突き当てパネルにおける突入部材が隣接する間仕切パネルにより押されて、自動的に突出させられるので、突入部材を特別に手作業で操作する必要がなく、操作性がさらによくなる。
したがって、全自動式の電動間仕切装置に最適である。
【００３２】
（ｄ）請求項４記載の発明によると、隣接する間仕切パネルが突き当てパネルから離れると、突入部材が元の突出しない位置に自動的に復帰させられるので、突入部材を元位置に戻し忘れることがなく、誤作動を未然に防止しうるとともに、操作性が向上する。
【図面の簡単な説明】
【図１】本発明の一実施形態の要部の縦断側面図である。
【図２】図１のII−II線に沿う横断平面図である。
【図３】図１のIII−III線に沿う拡大縦断正面図である。
【図４】従来の移動間仕切装置の一例の要部の縦断側面図である。
【図５】図４のＶ−Ｖ線に沿う横断平面図である。
【符号の説明】
(１)天井
(２)レール
(３)ランナ
(４)吊支杆
(５)(5A)(5B)(5c)間仕切パネル
(5A)突き当てパネル
(5B)被突き当てパネル
(６)フレーム
(７)パネル
(８)パネル本体
(９)床
(10)上部閉塞部材
(11)下部閉塞部材
(20)弾性シール部材
(21)閉塞板
(22)ロッド
(23)ベース部材
(24)(24c)(25)端部閉塞部材
(26))収容孔
(27)突入部材
(28)案内孔
(29)(30)連結杆
(31)押し杆
(32)ピン
(33)復帰ばね
(34)側部シール部材
(S1)(S2)(S3)(S4)空隙
【図１】
0003871195.tif 000002
【図２】
0003871195.tif 000003
【図３】
0003871195.tif 000004
【図４】
0003871195.tif 000005
【図５】
0003871195.tif 000006